(57)【要約】【課題】  複雑でない構造をもって、パイプ椅子の肘掛け部材などの連結部材の連結端部に容易に装着することができ、パイプ管に嵌入される連結部材の取付けを簡単かつ強固に行えるようにする。【解決手段】  パイプ用連結金具１０を、パイプ椅子のパイプ脚６内に遊嵌状態をもって挿入可能な基板と、この基板の周端縁１２ａから上方に向けて起立し、かつ少なくとも上端部が外方に外開き状をなすように相対向する１対の起立片１３，１３とより、上向きほぼコ字状からなる起立片とをもって形成するとともに、前記起立片に係合部１５を形成し、かつ連結部材４の連結端部７の外周面に係止部９を形成して、この係止部に、前記係合部を係合させて、前記パイプ用連結金具を前記連結端部に装着することにより、前記パイプ用連結金具における上端縁部の少なくとも一部が、前記パイプ管の内周壁に弾圧的に当接しうるようにする。【選択図】  図７
2010264133.tif 000002
【特許請求の範囲】
【請求項１】
パイプ管の開口端部に、パイプ用連結金具をもって、連結部材の連結端部を嵌入しうるようにしたパイプ連結構造であって、
前記パイプ用連結金具を、パイプ管内に遊嵌状態をもって挿入可能な基板と、この基板の周端縁から上方に向けて起立し、かつ少なくとも上端部が外方に外開き状をなす起立片とをもって形成するとともに、前記起立片に係合部を形成し、かつ前記連結端部の外周面に係止部を形成して、この係止部に、前記係合部を係合させて、前記パイプ用連結金具を前記連結端部に装着することにより、前記パイプ用連結金具における上端縁部の少なくとも一部が、前記パイプ管の内周壁に弾圧的に当接しうるようにしたことを特徴とするパイプ連結構造。
【請求項２】
パイプ用連結金具を、基板の周端縁から上方に向けて互いに相対向させて起立させた１対の起立片により、上向きほぼコ字状に形成するとともに、前記各起立片の上端両角縁が、パイプ管の内周壁に弾圧的に当接しうるようにした請求項１記載のパイプ連結構造。
【請求項３】
起立片を、基板の周端縁から内側に向けて傾斜して起立させるとともに、その上端部を、外側に向けて屈曲して延出させた外開き片として形成し、この外開き片の上端両角縁が、パイプ管の内周壁に弾圧的に当接しうるようにした請求項１または２記載のパイプ連結構造。
【請求項４】
前記請求項１〜３に記載のパイプ連結構造を備えたパイプ椅子であって、
座より上方に延出する複数のパイプ脚からなる脚部を備え、この脚部におけるパイプ脚の上端開口部に、肘掛け部材の一端に形成した連結端部を嵌入することによって、肘掛け部材をパイプ脚に取り付けるとともに、
前記連結端部の外周面に、パイプ用連結金具の起立片が嵌合される嵌合溝と、この嵌合溝内に、前記起立片の係合部が係合する係止部とを形成し、前記嵌合溝に前記起立片を嵌合させ、前記係止部に前記係合部をそれぞれ係合させることにより、前記パイプ用連結金具を、前記連結端部の外周面に装着するとともに、
前記連結端部を前記パイプ脚の上端開口部に嵌入した際に、前記起立片の上端角縁が、前記パイプ脚の内周壁に弾圧的に当接しうるようにしたことを特徴とするパイプ椅子。
【請求項５】
肘掛け部材における連結端部の一部を、パイプ脚の上端開口部に圧入状態をもって嵌入した請求項４記載のパイプ椅子。
【発明の詳細な説明】
【技術分野】
【０００１】
本発明は、たとえば座の側方より起立する前後両パイプ脚に、肘掛け部材を取り付けるために用いられるパイプ連結構造およびそれを備えたパイプ椅子に関する。
【背景技術】
【０００２】
従来の椅子においては、座の両側方に起立する前後両パイプ脚間に跨って、肘掛け部材を着脱可能に取り付けるようにした、パイプ椅子は公知である（例えば、特許文献１参照）。
また、背凭れ部材の背凭れ支持パイプを後パイプ脚にねじ止めする場合に、背凭れ支持パイプと後パイプ脚とに、互いに整合する横向きのねじ挿入孔を設けるとともに、肘掛け部材における肘掛け支持パイプの下端部内に横向きの雌ねじ部材を設け、かつ肘掛け支持パイプの下端部を、後パイプ脚の上端開口部内に嵌入した際に、背凭れ支持パイプおよび後パイプ脚のねじ挿入孔と肘掛け支持パイプの雌ねじ部材とをそれぞれ整合させて、雄ねじ部材を挿入して螺合し、締結するによって、背凭れ支持パイプと肘掛け支持パイプとを、共に後パイプ脚に取り付けるようにした、パイプ椅子も公知である（例えば、特許文献２参照）。
【０００３】
しかし、特許文献１，２に記載されたパイプ椅子における肘掛け取付構造では、ねじ止めのために、特に、後パイプ脚に肘掛け支持パイプを嵌入する際に、両者が相対的に回転し易いため、それらのねじ挿入孔と雌ねじ部材とを完全に整合させることが困難であり、その位置合わせによる組付けが面倒で、パイプ脚に対する肘掛け部材の取付けに時間がかかるばかりでなく、長期使用によって、それらの締結部分が弛み易いために、肘掛け部材に、がた付きが発生し易いという問題があった。
【先行技術文献】
【特許文献】
【０００４】
【特許文献１】実開昭５５−１３３８６０号公報（第１図）
【特許文献２】特開２００２−１２５７９８号公報
【発明の概要】
【発明が解決しようとする課題】
【０００５】
本発明は、前記の現状に鑑み、複雑でない構造をもって連結部材の連結端部に容易に装着することができるとともに、パイプ管に嵌入される連結部材の取付けを簡単かつ強固に行うことができるようにしたパイプ連結構造およびそれを備えたパイプ椅子を提供することを目的とする。
【課題を解決するための手段】
【０００６】
上記課題は、「特許請求の範囲」の欄における各請求項に記載するように、次のような構成からなる発明によって解決される。
【０００７】
（１）パイプ管の開口端部に、パイプ用連結金具をもって、連結部材の連結端部を嵌入しうるようにしたパイプ連結構造であって、前記パイプ用連結金具を、パイプ管内に遊嵌状態をもって挿入可能な基板と、この基板の周端縁から上方に向けて起立し、かつ少なくとも上端部が外方に外開き状をなす起立片とをもって形成するとともに、前記起立片に係合部を形成し、かつ前記連結端部の外周面に係止部を形成して、この係止部に、前記係合部を係合させて、前記パイプ用連結金具を前記連結端部に装着することにより、前記パイプ用連結金具における上端縁部の少なくとも一部が、前記パイプ管の内周壁に弾圧的に当接しうるようにする。
【０００８】
（２）上記（１）項において、パイプ用連結金具を、基板の周端縁から上方に向けて互いに相対向させて起立させた１対の起立片により、上向きほぼコ字状に形成するとともに、前記各起立片の上端両角縁が、パイプ管の内周壁に弾圧的に当接しうるようにする。
【０００９】
（３）上記（２）項において、起立片を、基板の周端縁から内側に向けて傾斜して起立させるとともに、その上端部を、外側に向けて屈曲して延出させた外開き片として形成し、この外開き片の上端両角縁が、パイプ管の内周壁に弾圧的に当接しうるようにする。
【００１０】
（４）上記（１）〜（３）項記載のパイプ連結構造を備えたパイプ椅子であって、座より上方に延出する複数のパイプ脚からなる脚部を備え、この脚部におけるパイプ脚の上端開口部に、肘掛け部材の一端に形成した連結端部を嵌入することによって、肘掛け部材をパイプ脚に取り付けるとともに、前記連結端部の外周面に、パイプ用連結金具の起立片が嵌合される嵌合溝と、この嵌合溝内に、前記起立片の係合部が係合する係止部とを形成し、前記嵌合溝に前記起立片を嵌合させ、前記係止部に前記係合部をそれぞれ係合させることにより、前記パイプ用連結金具を、前記連結端部の外周面に装着するとともに、前記連結端部を前記パイプ脚の上端開口部に嵌入した際に、前記起立片の上端角縁が、前記パイプ脚の内周壁に弾圧的に当接しうるようにする。
【００１１】
（５）上記（４）項において、肘掛け部材における連結端部の一部を、パイプ脚の上端開口部に圧入状態をもって嵌入する。
発明の具体的な内容は、次の通りである。
【発明の効果】
【００１２】
本発明によると、次のような効果が奏せられる。
（Ａ）請求項１記載の発明によると、パイプ用連結金具を、基板の周端縁から起立片を、少なくとも上端部が外方に外開き状をなすように上方に向けて起立しうるように形成するとともに、起立片に形成した係合部を、連結部材の連結端部の外周面に形成した係止部に係合させて、前記パイプ用連結金具を、連結部材の連結端部に装着しうるようになっているため、係合部を係止部に係合させることによって、パイプ用連結金具を、複雑でない構造をもって、連結部材の連結端部に容易に装着することができる。
また、パイプ用連結金具をパイプ管内に遊嵌状態をもって嵌入した際に、パイプ用連結金具の上端縁部の少なくとも一部が、パイプ管の内周壁に弾圧的に当接しうるようになっているため、パイプ用連結金具の上端角縁をパイプ管の内周壁に喰い込ませることができ、連結部材の連結端部に装着したパイプ用連結金具とパイプ管との相対的な回転を防止することができるとともに、連結部材の連結端部に、パイプ管に対する引抜き方向の外力が作用したとき、起立片の上端角縁とパイプ管の内周壁との喰込みによる引抜き抵抗が増大し、連結部材とパイプ管との両者の連結が強固になる。
【００１３】
（Ｂ）請求項２記載の発明によると、パイプ用連結金具を、基板の周端縁から上方に向けて互いに相対向させて起立させた１対の起立片により、上向きほぼコ字状に形成するとともに、各起立片の上端両角縁が、パイプ管の内周壁に弾圧的に当接しうるようになっているため、起立片の上端角縁をパイプ管の内周壁に喰い込ませることができるとともに、パイプ用連結金具とパイプ管との相対的な回転を防止することができ、連結部材とパイプ管との両者の連結が強固になる。
【００１４】
（Ｃ）請求項３記載の発明によると、起立片を、基板の端縁から内側に向けて傾斜して起立させるとともに、その上端部を、外側に向けて屈曲して延出させた外開き片として形成し、この外開き片の上端両角縁が、パイプ管の内周壁に弾圧的に当接しうるようにしてあるため、パイプ用連結金具とパイプ管との相対的な回転を防止することができ、連結部材とパイプ管との両者の連結が、より強固になる。
【００１５】
（Ｄ）請求項４記載の発明によると、パイプ脚に対する肘掛け部材の取付けを簡単かつ強固に行うことができる。
【００１６】
（Ｅ）請求項５記載の発明によると、肘掛け部材における連結端部の一部を、パイプ脚の上端開口部に圧入状態をもって嵌入してあるため、容易に嵌入することができ、また連結部分のがた付きを防止することができるとともに、パイプ連結金具の装着部分となる肘掛け部材における連結端部の外周面を圧入させる必要がないため、パイプ脚における開口端部の内径に対する前記連結端部の外径の加工精度に余裕を持たせることができる。
【図面の簡単な説明】
【００１７】
【図１】本発明における一実施形態のパイプ連結構造を備えるパイプ椅子の斜視図である。（実施例）
【図２】同じく、側面図である。
【図３】図１における円IIIのパイプ脚への肘掛け部材の取付状態を示す要部拡大縦断面図である。
【図４】図３におけるＩＶ−ＩＶ線横断面図である。
【図５】同じく、図３におけるＶ−Ｖ線横断面図である。
【図６】パイプ用連結金具の拡大斜視図である。
【図７】パイプ用連結金具を用いたパイプ脚への肘掛け部材の取付状態を示す要部分解斜視図である。
【発明を実施するための形態】
【００１８】
以下、本発明の実施形態を、図面に基づいて説明する。
図１は、本発明における一実施形態のパイプ連結構造を備えるパイプ椅子の斜視図、図２は、同じく、側面図、図３は、図１における円IIIのパイプ脚への肘掛け部材の取付状態を示す要部拡大縦断面図、図４は、図３におけるＩＶ−ＩＶ線横断面図、図５は、同じく、図３におけるＶ−Ｖ線横断面図である。
【実施例】
【００１９】
本発明のパイプ椅子は、図１および図２に示すように、座１と、この座１を支持する脚部２と、前記座１の後部に設けた背凭れ３と、前記座１の左右両側部に取り付けた左右１対の肘掛け部材４とより構成されている。
【００２０】
前記脚部２は、それぞれ下端部にキャスター５が取り付けられた左右１対の前後両パイプ脚６，６を備えるとともに、座１の左右両側方に位置する前後のパイプ脚６の開口する上端部（以下、上端開口部という）６ａは、座１よりも上方に延出しうるようになっている。
【００２１】
座１の左右側方における前後の両パイプ脚６，６間には、前記肘掛け部材４が前後方向に跨って取り付けられている。
【００２２】
なお、本実施形態では、前後のパイプ脚６への肘掛け部材４の取付けにあたって、前後のパイプ脚６への取付構造が同一であるため、前パイプ脚６と肘掛け部材４の前端４ａとの取付け状態について説明し、後パイプ脚６と肘掛け部材４の後端４ｂとの取付けは、説明を省略する。
【００２３】
前記肘掛け部材４は、図３から図５に示すように、前後方向の両端４ａ，４ｂにそれぞれ下方に向け突出しうるように段付き形成された円柱状の連結端部７の小径部７ａを、前パイプ脚６の上端開口部６ａ内に、前記連結端部７の小径部７ａに装着された、後記するパイプ用連結金具１０と共に、その外周面の一部が圧入状態をもって嵌入することによって取り付けられている。
【００２４】
前記連結端部７の小径部７ａにおける外周面の左右側面には、左右１対の嵌合溝８，８が形成されているとともに、これら左右の嵌合溝８内のほぼ中央部には、係止突起９が突設されている。
【００２５】
図６は、パイプ用連結金具の拡大斜視図である。
前記パイプ用連結金具１０は、図６に示すように、薄板状の板ばね１１からなるとともに、前パイプ脚６の上端開口部６ａ内に遊嵌状態をもって挿入可能にした板幅を有する平面視矩形状の基板１２と、この基板１２の周端縁、すなわち左右方向の両周端縁１２ａ，１２ａから上方に向けて起立させて互いに相対向する左右１対の起立片１３，１３とより、上向きほぼコ字状に形成されている。
【００２６】
各起立片１３の上端部は、外方に向け屈曲させることにより、その上端角縁１４ａが、少なくとも前記基板１２の周端縁から外側に位置しうるように延出した外開き状の外開き片１４として形成されているとともに、前記起立片１３には、前記連結端部７における嵌合溝８内に突設した係止突起９に係合可能な係合孔１５が設けられている。
【００２７】
図７は、パイプ用連結金具を用いたパイプ脚への肘掛け部材の取付状態を示す要部分解斜視図である。
【００２８】
図７に示すように、まず、肘掛け部材４における連結端部７の小径部７ａにパイプ用連結金具１０を装着するには、連結端部７の小径部７ａに、パイプ用連結金具１０を、左右の起立片１３を連結端部７の左右の嵌合溝８に整合しうるように嵌合させて挟み込みながら、下方から押込むとともに、各起立片１３の係合孔１５を、連結端部７の嵌合溝８内に設けた係止突起９に係合させることにより装着する。
【００２９】
次いで、前記連結端部７の小径部７ａを、前パイプ脚６の上端開口部６ａに嵌入する際、左右の起立片１３における外開き片１４を、互いの外開き状態からばね力に抗して内方に向けて押込んで、外方に向けて弾性的な反発力が蓄積されるような状態を維持しながら、前パイプ脚６の上端開口部６ａに嵌入し、左右の外開き片１４を、押込み状態から開放することにより、外方に向けて弾性的に復帰させるとともに、外開き片１４における前後方向の上端両角縁１４ａ，１４ａが、前パイプ脚６の内周壁６ｂに弾圧的に当接しうるように組付ける（図３〜図５参照）。
【００３０】
前記の構成によって、パイプ用連結金具１０の左右の起立片１３における外開き片１４の上端角縁１４ａを、前パイプ脚６における上端開口部６ａの内周壁６ｂに喰い込ませることができ、肘掛け部材４と前パイプ脚６との取付部分における相対的な回転を防止することができる。
また、肘掛け部材４の連結端部７に、前パイプ脚３に対する引抜き方向の外力が作用したときには、パイプ用連結金具１０における左右の起立片１３の外開き片１４における上端角縁１４ａと前パイプ脚６の内周壁６ｂとの喰込みによる引抜き抵抗が増大し、両者の取付けが強固になる。
【００３１】
なお、上記の実施形態においては、起立片１３を外開き状に形成する場合、図示の実施例のように、基板１２の端縁からほぼ垂直に起立する起立片１３の上端部を、外方に向けて屈曲して延出させた外開き片１４としたが、起立片１３を、基板１２の端縁１２ａから内側に向けて傾斜して起立させるとともに、その上端部を、外側に向けて側面視「く」字状または「Ｓ」字状に屈曲して延出させた外開き片１４として形成してもよい。
これにより、パイプ連結金具１０を、肘掛け部材４における連結端部７の外周に装着する際に、左右の起立片１３，１３を、弾性に抗して外方へ押開くように装着することによって、前記係止突起９と係合孔１５との係合と共に、前記連結端部７に弾性的に挾着させることができる。
【００３２】
また、パイプ椅子として、座１の左右側方における前後のパイプ脚６間に、肘掛け部材４が前後方向に跨って取り付けられる例を示したが、肘掛け部材４の一端を、前後のパイプ脚６のいずれか一方に、片持ち状態で取り付けるようにしたパイプ椅子でも適用することができる。
【００３３】
さらに、パイプ連結金具における他の実施形態としては、平面視矩形状の基板に代えて、平面視多角形状をなす基板を用い、この基板における周端縁の各辺から起立片をそれぞれ上方に向けて複数起立させたり、あるいは平面視ほぼ円形状をなす基板の周端縁からほぼ半円筒状の起立片を、単片または左右に対向させて上方に向けて起立させるようにして、起立片を形成してもよい。
【符号の説明】
【００３４】
１    座
２    脚部
３    背凭れ
４    肘掛け部材
４ａ  前端
４ｂ  後端
５    キャスター
６    パイプ脚
６ａ  上端開口部
６ｂ  内周壁面
７    連結端部
７ａ  小径部
８    嵌合溝
９    係止突起（係止部）
１０  パイプ用連結金具
１１  板ばね
１２  基板
１２ａ  周端縁
１３，１３  起立片
１４  外開き片
１４ａ  上端角縁
１５  係合孔（係合部）
【図１】
2010264133.tif 000003
【図２】
2010264133.tif 000004
【図３】
2010264133.tif 000005
【図４】
2010264133.tif 000006
【図５】
2010264133.tif 000007
【図６】
2010264133.tif 000008
【図７】
2010264133.tif 000009